(57)【要約】【課題】複数の用途に利用できるリバーシブルなかばんを提供する。  【解決手段】物を出し入れする開口部１２及びその開口部１２を開閉するための開閉部１５，１６１Ｒ，１６Ｌを備え、表面１３と裏面１４とを裏返して使用可能なかばん本体部１０と、前記かばん本体部１０に着脱自在に固定され、前記かばん本体部１０を背負う者の肩に掛けるための肩掛部３０と、を備える。表面１３を外側に位置させたときには肩掛部３０を固定してリュックサックを構成し、裏面１４を外側に位置させたときに把持部２０を固定してハンドバックを構成する。【選択図】図５
2006296560.tif 000002
【特許請求の範囲】
【請求項１】
物を出し入れする開口部及びその開口部を開閉するための開閉部を備え、表面と裏面とを裏返して使用可能なかばん本体部と、
前記かばん本体部に着脱自在に固定され、前記かばん本体部を背負う際に用いられる肩掛部と、
を備えることを特徴とするかばん。
【請求項２】
前記かばん本体部の表面または裏面の少なくとも一面を外側に位置させたときに背面を構成する面の上部中央に本体側エレメントを備え、
前記肩掛部は、前記本体側エレメントとかみ合う肩掛部側エレメントと、前記本体側エレメント及び肩掛部側エレメントを噛み合わせたり、噛み合わせを解除したりするためのスライダーと、を備える、
ことを特徴とする請求項１に記載のかばん。
【請求項３】
前記かばん本体部に着脱自在に固定される把持部を更に備え、
前記かばん本体部は、表面を外側に位置させた状態で背面を形成する面の上部中央部と、下部左側端部と、下部右側端部とに前記肩掛部を固定するための本体側固定部材を備え、裏面を外側に位置させた状態で正面及び背面を形成する面の上部に、前記把持部を固定するための固定部を備える、
ことを特徴とする請求項１又は２に記載のかばん。
【請求項４】
前記かばん本体部は、略直方体状に形成され、
前記開閉部は、前記かばん本体部における前記開口部周辺に沿って取り付けられたエレメント及び二つのスライダーからなるファスナーにより構成され、
前記エレメントは、一端部及び他端部が前記かばん本体部の表面を外側に位置させた状態で底面を構成する面に取り付けられるとともに前記かばん本体部の底面から右側面、上面、左側面、及び底面にかけて連続して取り付けられ、
前記かばん本体部は、表面を外側に位置させた状態で前記二つのスライダーを前記上面において当接させることにより前記開口部を閉じ、裏面を外側に位置させた状態で前記二つのスライダーを前記右側面または左側面のいずれか一面において当接させることにより前記開口部を閉じる、
ことを特徴とする請求項１乃至３のいずれか一つに記載のかばん。
【発明の詳細な説明】
【技術分野】
【０００１】
本発明はかばんに係り、特にリバーシブルバッグの利便性を向上させるかばんに関する。
【背景技術】
【０００２】
かばんの表面と裏面とを裏返して使うことができるリバーシブルバッグがある。特許文献１には、このリバーシブルバッグの例として、表面と裏面とを裏返すための裏返し手段を備えたリバーシブルバッグが開示されている。
【特許文献１】特開平７−１１１９１０号公報
【発明の開示】
【発明が解決しようとする課題】
【０００３】
特許文献１のリバーシブルバッグは、表裏を変えてデザインを変えたハンドバッグとして利用することはできるものの、用途はハンドバッグに限定されていた。また、リュックサックはユーザの肩に掛ける肩掛部がハンドバッグの把持部と比べて長いため、リュックサックをリバーシブルなものとして構成するという発想がなかった。
【０００４】
本発明はこのような問題点に鑑みてなされたもので、複数の用途に利用できるリバーシブルなかばんを提供することを目的とする。
【課題を解決するための手段】
【０００５】
上記課題を解決するため、本発明に係るかばんは、物を出し入れする開口部及びその開口部を開閉するための開閉部を備え、表面と裏面とを裏返して使用可能なかばん本体部と、前記かばん本体部に着脱自在に固定され、前記かばん本体部を背負う際に用いられる肩掛部と、を備える。
【０００６】
これにより、かばん本体部を裏返したときにも肩掛部をかばんの内側から取り外し、かばんの中を広く使えるリバーシブルなリュックサックを構成することができる。
【０００７】
また、前記かばん本体部の表面または裏面の少なくとも一面を外側に位置させたときに背面を構成する面の上部中央に本体側エレメントを備え、前記肩掛部は、前記本体側エレメントとかみ合う肩掛部側エレメントと、前記本体側エレメント及び肩掛部側エレメントを噛み合わせたり噛み合わせを解除したりするためのスライダーと、を備える。
【０００８】
これにより、リュックサックの肩掛部をファスナー機構を用いて着脱可能にかばん本体部に固定することができる。
【０００９】
また、前記かばん本体部に着脱自在に固定される把持部を更に備え、前記かばん本体部は、表面を外側に位置させた状態で背面を形成する面の上部中央部と、下部左側端部と、下部右側端部とに前記肩掛部を固定するための本体側固定部材を備え、裏面を外側に位置させた状態で正面及び背面を形成する面の上部に、前記把持部を固定するための固定部を備える。
【００１０】
これにより、かばん本体部の表面を外側に位置させたときにはリュックサックを構成し、かばん本体部の裏面を外側に位置させたときにはハンドバッグを構成することができ、一つのかばんで二通りの使い方ができる。
【００１１】
更に、前記かばん本体部は、略直方体状に形成され、前記開閉部は、前記かばん本体部における前記開口部周辺に沿って取り付けられたエレメント及び二つのスライダーからなるファスナーにより構成され、前記エレメントは、一端部及び他端部が前記かばん本体部の表面を外側に位置させた状態で底面を構成する面に取り付けられるとともに前記かばん本体部の底面から右側面、上面、左側面、及び底面にかけて連続して取り付けられ、前記かばん本体部は、表面を外側に位置させた状態で前記二つのスライダーを前記上面において当接させることにより前記開口部を閉じ、裏面を外側に位置させた状態で前記二つのスライダーを前記右側面または左側面のいずれか一面において当接させることにより前記開口部を閉じる。
【００１２】
これにより、かばん本体部の表面を外側に位置させたときと、かばん本体部の裏面を外側に位置させたときとで、横長または縦長のかばんを構成することができ、一つのかばんで二通りの使い方（横長かばんまたは縦長かばん）ができる。
【発明の効果】
【００１３】
この発明によると、かばん本体部から肩掛部が取り外せるため、リバーシブルなリュックサックを提供することができる。また、肩掛部が取り外せるため、かばんを裏返したときにも肩掛部がかばんの内側で邪魔になることがない。更に、表面を外側に位置させたときにはリュックサックを構成し、裏面を外側に位置させたときにはハンドバッグまたはショルダーバッグを構成することにより一つのリバーシブルバッグで複数の用途に利用できる。また、かばん本体部を片面（例えば表面）では横長形状として利用し、他面（例えば裏面）では縦長形状として利用することができ、リバーシブルバッグの用途を広げることができる。
【発明を実施するための最良の形態】
【００１４】
以下、添付した図面を参照し本発明の好ましい実施の形態を説明する。
【００１５】
＜第一実施形態＞
第一実施形態に係るかばんは、表面を外側に位置させたときにはリュックサックとして利用でき、裏面を外側に位置させたときにはハンドバッグとして利用可能なリバーシブルバッグである。
【００１６】
図１は、本実施形態に係るかばん１を示す斜視図であって、かばん本体部１０の表面１３を外側に位置させてリュックサックとして利用可能な状態を示す。図１（Ａ）は正面方向からみたかばん１の斜視図、図１（Ｂ）は背面方向からかばん１の斜視図である。
【００１７】
かばん１は、略直方体状のかばん本体部１０と、そのかばん本体部１０に着脱自在に固定される肩掛部３０とを備える。かばん本体部１０の表面１３の背面には、背面の上部中央部に肩掛部３０を固定するための本体側固定部材としてのエレメント４５を備える。このエレメント４５は、後述する肩掛部３０の肩掛部側固定部材３１に備えられたエレメント３５と共にスライダー３６とかみ合わせされる。背面の下部左側端部及び下部右側端部には、本体側固定部材としてのリング４２を備える。
【００１８】
肩掛部３０は、本体側固定部材（エレメント４５）と着脱自在に固定可能な肩掛部側固定部材３１と、その肩掛部側固定部材３１に連結されリュックサックを背負う利用者の左右それぞれの肩に掛けるための肩掛バンド３２とを備える。肩掛バンド３２の開放端側には、かばん本体部１０のリング４２に引っ掛けて、肩掛部３０をかばん本体部１０の下部左側端部及び下部右側端部に着脱自在に固定するためのフック３３を備える。
【００１９】
図２は、肩掛部３０の肩掛部側固定部材３１を拡大して示した図である。図２（Ａ）は、肩掛部側固定部材３１の正面（肩掛部３０をかばん本体部１０に固定した状態で見える面）を示す図、図２（Ｂ）は、肩掛部側固定部材３１の裏面（肩掛部３０をかばん本体部１０に固定した状態で見えない面）を示す図である。
【００２０】
肩掛部側固定部材３１の裏面には、ファスナーを構成するエレメント３５と、スライダー３６とを備える。肩掛部側固定部材３１の表面は、エレメント３５がリュックサックを背負う者の背中に当らないように当て布が付けられる。
【００２１】
図２（Ｃ）は、本体側固定部材としてのエレメント４５と、肩掛部側固定部材３１のエレメント３５とをスライダー３６によりかみ合わせた状態を示す断面図である。肩掛部３０をかばん本体部１０に固定したときには、スライダー３６をスライドさせ、エレメント４５とエレメント３５とがかみ合わさる。
【００２２】
図３は、かばん本体部１０に肩掛部３０を着脱自在に固定する状態を示す模式図である。
【００２３】
かばん本体部１０のエレメント４５と肩掛部３０のエレメント３５とをスライダー３６でかみ合わせることにより、肩掛部３０をかばん本体部１０に固定する。また、左右のフック３３を左右のリング４２に引っ掛ける。肩掛部３０をかばん本体部１０から取り外すときには、スライダー３６を滑らせてかばん本体部１０のエレメント４５と肩掛部３０のエレメント３５とのかみ合わせを解く。またフック３３をリング４２から外す。これにより、かばん本体部１０に肩掛部３０を着脱自在に固定することができる。
【００２４】
次に図４に基づいて、かばん１をハンドバッグとして利用する態様について説明する。図４（Ａ）は、かばん本体部に把持部を取り付けた状態を示す模式図、図４（Ｂ）は、かばん本体部から把持部を取り外した状態を示す模式図である。かばん本体部１０の裏面１４の正面部及び背面部には、把持部２０を固定するための固定部５２を備える。固定部５２はリング２２ａを備える。把持部２０は、ハンドバッグを把持するためのバンド２１と、バンド２１の開放端に固定されたボタン２２ｂとを備える。ボタン２２ｂをリング２２ａに通して止めたりはずしたりすることにより、把持部２０はかばん本体部１０に着脱自在に固定される。なお、把持部２０は、ボタン２２ｂに代えて面ファスナーをそなえてもよい。そして、把持部２０をリング２２ａに通して固定することにより、着脱自在に固定することができる。
【００２５】
次に図５に基づいて、かばん１の使用方法について説明する。
【００２６】
図５（Ａ）は、かばん１をリュックサックとして利用する状態を示す正面斜視図である。図５（Ｂ）は、図５（Ａ）の状態から開口部１２をあけて内側を広げた状態を示す斜視図である。図５（Ｃ）は、図５（Ｂ）の状態から表面１３と裏面１４とを裏返し、裏面１４を外に出して開口部１２を閉じ、ハンドバッグとして利用する状態を示す斜視図である。
【００２７】
かばん本体部１０は、略直方体状に形成される。本体部１０の表面１３と裏面１４とはデザインが異なる。例えば、表面１３は縦長のリュックサックとして利用するときの外ポケットを備える。裏面１４は横長のハンドバッグとして利用するときの外ポケットと固定部５２を備える。表面１３と裏面１４とは色や模様を変えても良い。また、かばん本体部１０は、ナイロン、ポリエステル、綿、ポリ塩化ビニル素材を用いて作られる。表面１３と裏面１４とを同一素材により構成しても良いし、表面１３と裏面１４とを異なる素材を用いて構成しても良い。例えば、表面１３は、撥水性が高い素材としてナイロン素材を用い、裏面１４は、綿素材を用いて構成しても良い。これにより、表面１３と裏面１４とで風合いの違いを楽しむことができる。
【００２８】
かばん本体部１０における開口部１２の周囲には、開口部１２を開閉する部材としてファスナーが取り付けられる。ファスナーは、かばん本体部１０に固定され、開口部１２を閉じるときにかみ合わせるエレメント（務歯部）１５と、ファスナーの開閉時に指で保持してエレメント１５をかみ合わせたり離したりするための二つのスライダー１６Ｌ、１６Ｒとを備える。かばん本体部１０の開口部１２を閉めるときは各スライダー１６Ｌ、１６Ｒをスライドさせてスライダー１６Ｌ、１６Ｒを当接させることにより、開口部１２を閉じる。この当接させる箇所を変えることにより、かばん本体部１０を横長形または縦長形の二通りに利用することができる。
【００２９】
かばん１をリュックサックからハンドバッグに変えるときには、まず、図５（Ａ）の状態で肩掛部３０をかばん本体部１０から取り外す。図５（Ａ）では、表面１３を外側に位置させた状態で上面となる位置において、スライダー１６Ｌ，１６Ｒを当接させて開口部１２を閉める。
【００３０】
次に図５（Ｂ）のように、各スライダー１６Ｌ、１６Ｒをスライドさせて開口部１２を全開にする。そして、表面１３と裏面１４とを裏返す。エレメント１５が、底面から右側面、上面、左側面、底面にかけて取り付けられているため、開口部１２が広くなり、かばん本体部１０を裏返しやすくなる。
【００３１】
次にスライダー１６Ｌ、１６Ｒをスライドさせて開口部１２を閉じる。スライダー１６Ｌ、１６Ｒは、横長のハンドバッグとして利用できるように、かばん本体部１０の右側面部において当接させて開口部１２を閉じる。そして把持部２０のリング２２をかばん本体部１０の固定部５２に通し、把持部２０をかばん本体部１０に固定する。これにより、図５（Ｃ）のように横長のハンドバッグとして利用することができる。
【００３２】
本実施の形態により、リバーシブルバッグをリュックサック及びハンドバッグとして利用することができ、一つのかばんで二通りの使い方をすることができる。またリュックサックとハンドバッグとは、縦長形状と横長形状とに使い分けることできる。そのため、表面１３を外側に位置させたときには学童用リュックサックを構成し、裏面１４を外側に位置させたときには学童用スクールバッグを構成するようにし、一つのリバーシブルバッグで、二通りの使い方ができる学童用かばんを構成することができる。
【００３３】
＜第二実施形態＞
図６に従って第二実施形態について説明する。
【００３４】
第二実施形態は、リバーシブルなリュックサックであって、表面１３と裏面１４とでデザインが異なるリュックサックを形成する。かばん本体部１０は、正面及び背面が略台形状に構成される。かばん本体部１０の表面１３及び背面１４を外側に位置させた状態で背面を構成する面の上部には、本体側固定部材としてのエレメント４５を備える。また、背面を構成する面の下部左端部と下部右端部とには、リング４２を備える。肩掛部３０は、第一実施形態にかかる肩掛部３０と同一の構成である。
【００３５】
本実施の形態に係るリバーシブルなリュックサックは、かばん本体部１０から肩掛部３０を取り外して表面１３と裏面１４とを裏返し、再度肩掛部３０をかばん本体部１０に固定して利用する。以下、図６にしたがって、第二実施形態に係るリバーシブルリュックサックの使用方法について説明する。
【００３６】
図６（Ａ）は、かばん本体部１０の表面１３を外側に位置させた状態で肩掛部３０をかばん本体部１０に固定した状態を示す。表面１３を外側に位置させた状態で正面を構成する面には、外ポケット６０を備える。
【００３７】
このリュックサックを裏返す場合には、肩掛部３０を取り外し、かばん本体部１２の開口部１２の周囲に取り付けられたスライダー１６Ｌ、１６Ｒをスライドさせ、エレメント１５の噛み合わせを解除する。図６（Ｂ）は、開口部１２を開けてかばん本体部１０を広げた状態を示す。かばん本体部１０の裏面１４には、裏面１４を外側に位置させたときに正面を構成する面にマチ付外ポケット６１を備える。背面を構成する面の上部中央部には、肩掛部３０を固定するための本体側固定部材としてのエレメント４５を備え、下部左端部及び右端部にはリング４２を備える。
【００３８】
図６（Ｃ）は、かばん本体部１０の裏面１４を外側に位置させた状態で肩掛部３０をかばん本体部１０に固定した状態を示す。裏面１４を外側に位置させた状態で正面を構成する面にはマチ付き外ポケット６１が備えられる。肩掛部３０は、図６（Ａ）で使用したものと同一である。
【００３９】
肩掛部３０をかばん本体部１０に固定するときには、かばん本体部１０のエレメント４５と肩掛部３０のエレメント３５とをスライダー３６でかみ合わせることにより、肩掛部３０をかばん本体部１０に固定する。また、左右のフック３３を左右のリング４２に引っ掛ける。肩掛部３０をかばん本体部１０から取り外すときには、スライダー３６を滑らせてかばん本体部１０のエレメント４５と肩掛部３０のエレメント３５とのかみ合わせを解く。またフック３３をリング４２から外す。これにより、かばん本体部１０に肩掛部３０を着脱自在に固定することができる。
【００４０】
本実施形態により、一つのリバーシブルリュックサックを二つのデザインのリュックサックとして利用することができる。
【００４１】
なお上記実施形態では、第一実施形態においてリュックサックとハンドバッグとに利用できるリバーシブルバッグ、第二実施形態において二通りのリュックサックとして利用できるリバーシブルバッグを説明したが、かばん本体部１０の表面と裏面との双方に、把持部２０を固定するための固定部５２を備え、二通りのハンドバッグとして利用できるリバーシブルバッグを形成してもよい。また、把持部２０の長さが異なる二種類の把持部を備え、ハンドバッグ及びショルダーバッグとして利用できるように構成してもよい。
【図面の簡単な説明】
【００４２】
【図１】かばん１の斜視図
【図２】肩掛部側固定部の拡大図
【図３】かばん本体部に肩掛部を取り付ける状態を示す模式図
【図４】かばん本体部に把持部を取り付ける状態を示す模式図
【図５】リバーシブルバッグの使用方法を示す模式図
【図６】第二実施形態に係るリバーシブルバッグの使用方法を示す模式図
【符号の説明】
【００４３】
１：かばん、１０：かばん本体部、１２：開口部、１３：表面、１４：裏面：、１５：エレメント、１６Ｌ、１６Ｒ：スライダー、２０：把持部、２１：バンド、２２：フック、３０：肩掛部、３１：肩掛部側固定部材、３２：肩掛バンド、３３：フック、３５：エレメント、３６：スライダー、４２：リング、４５：エレメント、５２：固定部、６０：外ポケット、６１：マチ付き外ポケット
【図１】
2006296560.tif 000003
【図２】
2006296560.tif 000004
【図３】
2006296560.tif 000005
【図４】
2006296560.tif 000006
【図５】
2006296560.tif 000007
【図６】
2006296560.tif 000008